(57)【要約】      （修正有）【課題】指を掛け、指を手前側に少し移動させるだけで、簡単に次に掲示される予定の掲示面に変更することができるカレンダーを提供する。【解決手段】カレンダー１は、掲示束１１と、該掲示束１１を保持し、掲示束１１の表掲示面１２ａを鉛直面から鋭角に傾ける傾斜具２１と、掲示束１１の上部の指掛け部４１と、掲示束１１の下部で掲示束１１を綴じる綴じ具３１とが備えられている。【選択図】図１
0003175692.tif 000002
【実用新案登録請求の範囲】
【請求項１】
掲示束と、前記掲示束を保持し、前記掲示束の掲示面を鉛直面から鋭角に傾ける傾斜具と、前記掲示束の上部の指掛け部と、前記掲示束の下部で前記掲示束を綴じる綴じ具と、が備えられているカレンダー。
【考案の詳細な説明】
【技術分野】
【０００１】
本考案は、週、月等の単位で分割された複数の掲示片を、時間的な順序で重ね一組の掲示片の束にし、時間の経過とともに前記掲示片の掲示面を変更するカレンダーに関する。
【背景技術】
【０００２】
従来例としては、特許文献１や特許文献２に記載されたものがあり、特許文献１においては、分割されたままの掲示片の束をホルダーに重ねて掲示するものであり、特許文献２においては、分割された掲示片の束を上部で綴じて掲示するものとなっている。
【先行技術文献】
【特許文献】
【０００３】
【特許文献１】特開２００６−２０５３７０号公報
【特許文献２】特開２００９−２１４４４９号公報
【考案の概要】
【考案が解決しようとする課題】
【０００４】
近年、高齢者や障がい者にも使いやすい製品設計、所謂ユニバーサルデザインによる製品の必要性が求められている。また、我が国においては、世界有数の長寿国であり、このため人口の構成比率における高齢者の割合が増加しており、市場では老人に使いやすい製品が求められる状況となっている。
【０００５】
特許文献１のカレンダーにおいては、ホルダーに重ねられた掲示片の束を時間の経過に合せて該当する掲示片に変更する必要がある。この場合には、ホルダーから最上部に掲示されているカード状の掲示片の一枚を抜き取り、差し替える必要がある。掲示片の一枚を抜き取り差し替えるためには、掲示片の一枚を指で摘まむ、または指の皮膚の摩擦力で掲示片の一枚を上方に摺り上がらせる等の動作を使用者がする必要があった。
【０００６】
しかしながら、手、特に指先の機能が劣ってくる老人や、手または指先に障がいのある障がい者では、紙である場合が多い掲示片は薄く、掲示片の一枚を指で摘まむことは難しいという問題があった。また、老化により指先の皮膚は乾燥している場合が多く、指先の皮膚の摩擦力は働き難くなり、掲示片の一枚を摺り上がらせることは難しいという問題があった。なお、指先の皮膚の摩擦力を回復させるためには、指先に唾をつける方法が一般に行われている。さらに、摘まむや摺り上がらせる以外の方法としては、ホルダーを持ち上げて傾ける、またはホルダーを逆さまにして掲示片の一枚を抜き取り易くする方法もあるが、何れにしても手間が掛かるという問題があった。
【０００７】
また、特許文献２のカレンダーにおいては、掲示片の束は上部で綴じられているので、綴じ具に上端が規制された状態で、掲示片の一枚を下から上方に向かって持ち上げ、台紙の後ろ側にまで移動させる必要がある。掲示片の一枚を移動させるためには、指先を掲示片の一枚の下側や側面に差し込み、指先で掲示片の一枚を摘まむまたは引っ掛ける等の動作を使用者がする必要があった。しかしながら、特許文献１のカレンダーと同様に、手、特に指の機能が劣ってくる老人や、手または指先に障がいのある障がい者では、紙である場合が多い掲示片は薄く、掲示片の一枚を指で摘まむことは難しいという問題があった。また、掲示片の一枚を下から上方に向かって持ち上げ、台紙の後ろ側にまで移動させるためには、指先だけではなく、手や腕で指先を支えながら移動させる必要があり、老人や障がい者にとっては難しい作業になるという問題があった。
【課題を解決するための手段】
【０００８】
上記の課題を解決するため、本考案では、次の技術的手段を講じている。
【０００９】
第１考案のカレンダーは、掲示束と、前記掲示束を保持し、前記掲示束の掲示面を鉛直面から鋭角に傾ける傾斜具と、前記掲示束の上部の指掛け部と、前記掲示束の下部で前記掲示束を綴じる綴じ具と、が備えられている。
【考案の効果】
【００１０】
以上のような、技術的手段を有することにより、以下の効果を有する。
【００１１】
第１考案によれば、掲示束と、前記掲示束を保持し、前記掲示束の掲示面を鉛直面から鋭角に傾ける傾斜具と、前記掲示束の上部の指掛け部と、前記掲示束の下部で前記掲示束を綴じる綴じ具と、が備えられていることで、上部の指掛け部に指を掛け、指を手前側に少し移動させるだけで、簡単に次に掲示される予定の掲示面に変更することができる。
【図面の簡単な説明】
【００１２】
【図１】本考案の実施例１に係るカレンダーの正面側の斜視図である。
【図２】本考案の実施例１に係るカレンダーの掲示片１１ａを倒した斜視図である。
【図３】本考案の実施例１に係るカレンダーの左側面図である。
【図４】本考案の実施例２に係るカレンダーの正面側の斜視図である。
【図５】本考案の実施例２に係るカレンダーの背面側の斜視図である。
【考案を実施するための形態】
【００１３】
考案を実施する形態について、図面に基づいて具体的に説明する。
【実施例１】
【００１４】
（全体）
本考案のカレンダーの全体的な構成について図１を用いて説明する。カレンダー１は、掲示束１１、傾斜具２１、綴じ具３１と掲示束１１の上部に設けられた指掛け部４１からなる。カレンダー１は、卓上用であるのでテーブルまたは机等の天板面上（以下、天板５と略す）に置かれている。なお、掲示束１１の「掲示」の語の意味について、公衆等の多数の人に対して掲げ示す意味を有する場合もあるが、公衆等の多数の人に限定するとの意味ではなく、人数には無関係に掲げて示していると言う意味で用いている。
【００１５】
（掲示束）
掲示束１１は指で軽く押した程度では曲がらない紙の複数の掲示片１１ａ〜１１ｍからなる。なお、アルファベットの添え字は枚数を表しており、本実施例のカレンダー１は１年間を１ヶ月単位に分割したものに表紙を加えた構成としているため掲示片が１３枚となっている。表紙を加えない場合は１２枚としても良く、裏紙や、次年度の最初の月を予備として加える場合には、１４枚以上にしても良い。掲示片１１ａ〜１１ｍは紙製であるので、表面と裏面を有しており、表側は表掲示面１２ａ〜１２ｍであり、掲示束１１の手前側から順に、表紙、１月、２月、３月〜最後は１２月の月別の暦が印刷されている。裏側は裏掲示面１３ａ〜１３ｍであり、無地または、所定の罫線や枠を設けてメモ用紙としても利用できるようにされている。掲示片１１ａ〜１１ｍの下側には角孔４２が複数穿たれている。
【００１６】
なお、カレンダー１は１年間を１ヶ月単位に分割した掲示束１１であるとして説明しているが、１ヶ月単位に限られるものではなく、２ヶ月単位、３ヶ月単位、１〜４週単位、等の様々な分割方法が考えられる。また、１年間ではなく複数の年度を分割するものとしても良い。さらには、表掲示面１２ｂ〜１２ｍに記載する事項については、暦であるので、主に今後に予定されている一年間の月日、曜日と、前記月日と曜日に関連する祝祭日、記念日、イベント等も記載されており、用途によっては観賞用の絵や写真なども併せて表示される。
【００１７】
（傾斜具）
傾斜具２１は、掲示片１１ａ〜１１ｍよりも厚い紙製で、表面板２１ａ、背面板２１ｂ、底面板２１ｃの３つ面で構成されている。表面板２１ａ、背面板２１ｂ、底面板２１ｃを形成する一例としては、一枚の長方形の厚紙を短辺方向で同一方向に折り曲げることにより、側面視が、三角形になるように形成する。そして、一枚の長方形の厚紙の短辺側の両端は、三角形の筒状になって突き合わされる箇所で接着し、三角形の筒状の形状が変形し難くなるように形成している。傾斜具２１は、掲示束１１を載せて掲示束１１が傾けられるようにするものであり、掲示束１１が載る表面板２１ａの傾斜角度は、天板５の平面より７０〜５０度に傾くように調節されている。なお、傾斜具２１の紙の材質については、掲示束１１を載せた状態で変形しないような材質にする必要があり、掲示束１１全体の質量により適切に選定する。
【００１８】
（綴じ具）
綴じ具３１は、対象物を綴じている場合は、輪状（リング状）または筒状（以下、輪状等と略す。）であり、対象物を綴じるために、輪状等の一か所が分断できるようになっている。対象物を綴じた後は、分断された部分は接着または掛着されることで輪状等になる。これにより、綴じ具３１は、掲示束１１の下側に穿たれた複数の角孔４２に通されており、同時に傾斜具２１の表面２１の下側に穿たれた複数の角孔にも通されている（図３参照）。掲示束１１と傾斜具２１の両方が綴じ具３１で綴じられていることで、掲示束１１は、傾斜具２１の表面板２１ａからすべり落ちることなく傾斜具２１に載せられた状態で保持されている。綴じ具３１は、前述の所定の形状になるように成型された、紙製または合成樹脂製で、３個連続したものを一組とし、適当な間隔を開け左右２ヶ所で綴じている。なお、綴じ具３１はこの形状に限られものではなく、１個単位で綴じる場合や、３個以上の複数個が繋がった状態で綴じる方法でも良い。
【００１９】
（指掛け部）
指掛け部４１は、掲示束１１の上側に設けられており、掲示束１１の全部が束ねられて傾斜具２１に載った状態で、表掲示面１２ａ〜１２ｌ（１２エル）の夫々に繋がり、表掲示面１２ａ〜１２ｌ（１２エル）の一部が見えるようにしている。表掲示面１２ａ〜１２ｌ（１２エル）には使用者が掲示束１１の表面側から見ることができるように掲示片１１ａ〜１１ｌ（１１エル）の上端側を、所定の長さごと夫々、掲示片１１ａ〜１１ｍで違う場所を切り欠くようにしている。なお、指掛け部４１の指掛け片４１ａ〜４１ｌ（４１エル）は掲示束１１の見出し（インデックス）として機能している。指掛け片４１ａで示す内容は、表掲示面１２ｂの一月を見たい場合は、指掛け片４１ａに指を掛けて手前側に倒すと、一月のカレンダーが見えることを示すため、「一月」、「１」、「Ｊａｎｕａｒｙ」や「睦月」等の一月を示す文字が記載されている。同様に、指掛け片４１ｂには二月を、指掛け片４１ｃには三月という様に、最終の指掛け片４１ｌ（４１エル）には十二月を示す文字が記載されている。このため、表掲示面１２ｍ（十二月のカレンダー）には指掛け部４１は設けられていない。
【００２０】
図２はカレンダー１の掲示束１１の一番上側（手前側）にある掲示片１１ａの指掛け片４１ａ（一月のカレンダーにするための索引）に指を掛けて指で手前側に移動させた場合の図である。これにより、カレンダー１の掲示束１１の掲示面は、掲示片１１ｂの表掲示面１２ｂ（一月のカレンダーの表示）が掲示された状態となり、手前側に倒された掲示片１１ａの裏掲示面１３ａが、カレンダー１が載置してある天板５の上に広げられた状態となる。従って、表掲示面１２ｂに対応するメモがとれる様に裏掲示面１３ａには罫線や枠が設けられている。また、裏掲示面１３ａに文字等を記載する場合には、綴じ具３１が設けられた側を上側として記載する。なお、さらに表掲示面１２ｃ（二月のカレンダーの表示）に変更したい場合には、同様に指掛け片４１ｂ（二月のカレンダーにするための索引）に指を掛けて前に引けばよい。
【００２１】
さらに、掲示片１１ａ〜１１ｍの動きの細部について図３を用いて説明する。図３は図１のカレンダー１の左側面図である。図１で説明した表掲示面１２ａから、図２で説明した表掲示面１２ｂに変更する過程について説明する。指掛け片４１ａの上端または裏側の面を指６で右側（使用者の手前側）に動かせば、掲示片１１ａは綴じ具３１で掲示片１１ａの下側が規制されている状態で動くので、掲示片１１ａは綴じ具３１を回転支点とする状態で動くことになる。指６が指６’の位置まで指掛け片４１ａを移動させる（傾斜角度が７０〜５０度であるので、２０〜４０度プラス微少な角度Ａ度の角度分の移動距離）と、掲示片１１ａ’は鉛直線９を越えたことで（鉛直線９からＡ度分越えたことで）、掲示片１１ａ’には表面板２１ａの方向に戻ろうとする力は働かなくなり、今度は重力により、天板５方向に動こうとする力が働くことになる。よって、掲示片１１ａ’は、指６’の動きとは無関係に重力で天板５の上まで移動し、掲示片１１ａ”の状態となる。
【００２２】
以上のような動きとなるので、指６を指６’まで移動させるという短い移動距離で、表掲示面１２ａから表掲示面１２ｂに変更することが可能となる。また、掲示片１１ａ自体が紙であるので、それ自体の質量は軽いのではあるが、指６で指掛け片４１ａを動かす力は綴じ具３１が回転支点（てこの原理の支点）となっている。これにより掲示片１１ａの端の指掛け片４１ａ（力点）を動かすことで掲示片１１ａの中央部にある掲示片１１ａの重心（作用点）を、さらに軽く動かすことができる。
【００２３】
同様に、表掲示面１２ａ〜１２ｍにおける任意の掲示面の変更についても、綴じ具３１と指掛け片４１ａ〜４１ｍの関係は同じであるから、表掲示面１２ａから表掲示面１２ｂの変更の場合と同様に行える。なお、指６で動かすことで説明しているが、指先でしか行い難い、摘まむまたは滑らす等の複雑な動作ではないので、指掛け片４１ａ〜４１ｍの大きさにもよるが、指、特に指先以外でも、指の関節（手を握った状態）、手の平、手の甲などの複雑な動作には適さない箇所でも行うことができる。よって、老化や障がいにより、手、腕、指が動かし難くなっている使用者であっても、指の複雑な動作をすることなしに、容易に表掲示面１２ａ〜１２ｍに掲示されている内容を変更することができる。
【実施例２】
【００２４】
本考案の実施例２であるカレンダー２について図４および図５を用いて説明する。カレンダー２は、実施例１のカレンダー１の傾斜具２１を傾斜具２２に変更し、綴じ具３１を綴じ具３２に変更したものである。よって、掲示束１１は同一のものであるので同一の符号を付けて説明を省略する。また、使用方法についても、実施例１と同様であるので説明を省略する。
【００２５】
（綴じ具）
綴じ具３２について図４を用いて説明する。綴じ具３２は、合成樹脂被覆の鉄線またはメッキの施された鉄線を、連続したままの状態で櫛状にし、この櫛状にした櫛の歯の部分を掲示束１１の下側に穿たれた複数の角孔４２に差し込み、同時に後述する傾斜具２２の平板２２ａの下側に穿たれた複数の角孔にも通されている（図５参照）。その後前記櫛の歯の全部を丸く曲げ加工することで綴じるものである。なお、図中において、綴じ具３２と角孔４２については、左右両端のみ番号を付して、間のある同一の形状の綴じ具３２と角孔４２については番号を付すことを省略しているが、同一のものである。
【００２６】
（傾斜具）
図４において、傾斜具２２は見えないため、カレンダー２を背面から見た図５を用いて説明する。傾斜具２２は、掲示束１１の幅方向は等しく、高さ方向ではやや短い１枚の長方形の厚紙を加工した平板２２ａより成る。平板２２ａには所定の切れ込みが入れられており、切れ込みに従って、掲示束１１を載せる面とは反対側に直角に折り曲げることで、傾斜具２１が形成される。平板２２ａから、切れ込みに従って、脚部２２ｂが２か所と、脚部２２ｂが直角に平板２２ａから出たままにする固定部２２ｃが設けられている。従って、２ヶ所の脚部２２ｂと固定部２２ｃが抜き取られた孔からは、掲示束１１の一部が見える。綴じ具３２を下側にして、カレンダー２をテーブル等に置くと、脚部２２ｂが直角方向に突き出されていることにより、平板２２ａの掲示束１１を載せる面とは反対側方向に傾く。脚部２２ｂの形状により決まる傾斜角度は、テーブル等の天板の平面より７０〜５０度に傾くように調節されている。
【００２７】
なお、傾斜具２２の紙の材質や厚みについては、切り起こす加工が必要であるため、実施例１の傾斜具２１の材質や厚みよりも強度のあるものを選択する必要があるが、最終的には、掲示束１１の質量により適切に選定する。また、掲示束１１と傾斜具２２の両方が綴じ具３２で綴じられていることで、掲示束１１は、傾斜具２２の平板２２ａからすべり落ちることなく傾斜具２２に載せられた状態で保持されている。
【００２８】
以上、本考案について、実施例に基づき説明してきたが、本考案は何らこれらの実施例の構成に限定するものではない。例えば、掲示束１１および、傾斜具２１、２２の材質は紙として説明しているが、合成樹脂、木材、金属等を薄い板状に成形したものでも実施は可能である。また、綴じ具３１、３２は輪状の綴じ具で説明しているが、掲示片１１ａ〜１１ｍを簡単に手前側に倒すことが可能綴じ方で実施可能である。例えば、掲示片１１ａ〜１１ｍを掲示束１１にする場合に、掲示片１１ａ〜１１ｍの下側の端の所定の幅が接着される、または針金で綴じられる（ステープラーによる方法）方法であっても、掲示片１１ａ〜１１ｍの接着等で綴じられた部分よりも上側で、掲示片１１ａ〜１１ｍに破線状の切れ込みが入れられることで、掲示片１１ａ〜１１ｍが手前側に簡単の倒れるように製作する方法である。
【産業上の利用可能性】
【００２９】
本考案のカレンダーは、印刷物を応用した紙製品であり、量産することも可能であることから産業上の利用性はある。
【符号の説明】
【００３０】
１、２：カレンダー
５：天板
６：指
９：鉛直線
１１：掲示束
１１ａ〜１１ｍ：掲示片
１２ａ〜１２ｍ：表掲示面
１３ａ〜１３ｍ：裏掲示面
２１、２２：傾斜具
２１ａ：表面板
２１ｂ：背面板
２１ｃ：底面板
２２ａ：平板
２２ｂ：脚部
２２ｃ：固定部
３１、３２：綴じ具
４１：指掛け部
４１ａ〜４１ｌ：指掛け片
４２：角孔
【図１】
0003175692.tif 000003
【図２】
0003175692.tif 000004
【図３】
0003175692.tif 000005
【図４】
0003175692.tif 000006
【図５】
0003175692.tif 000007